(57)【要約】【課題】断熱カバーの外部から熱が加えられたとしても貨物に悪影響が及ぶことがない貨物用断熱カバーを提供する。【解決手段】表皮材によってアルミニウム不織布が覆われるように構成したので、断熱カバーの外部から熱が加えられたとしても貨物に悪影響が及ぶことがない。すなわち、外部から加えられた熱をアルミニウム不織布の作用により貨物用断熱カバー内部で分散し、貨物に対して局部的に加熱されることがなくなるようにすることができ、貨物全体を貨物が損傷する臨界温度以下に保つことができる。【選択図】      図１
2004203395.tif 000002
【特許請求の範囲】
【請求項１】
表皮材によってアルミニウム不織布が覆われたことを特徴とする貨物用断熱カバー。
【請求項２】
貨物の上面、側面および下面の少なくとも一面を覆う形状である請求項１記載の貨物用断熱カバー。
【請求項３】
貨物の上面および側面を覆う形状である請求項１記載の貨物用断熱カバー。
【請求項４】
貨物の各面に位置するアルミニウム不織布が相互に連続した形状である請求項３記載の貨物用断熱カバー。
【請求項５】
貨物の天面に位置する箇所にのみアルミニウム不織布が封入されている請求項３記載の貨物用断熱カバー。
【請求項６】
表皮材によってアルミニウム不織布が覆われ貨物の少なくとも一面を覆う形状である内部断熱カバーと、表皮材からなり貨物の上面および側面を少なくとも覆う形状である外部カバーとから構成されることを特徴とする貨物用断熱カバー。
【請求項７】
表皮材が、プラスチックフィルム表面にアルミニウム薄膜が積層されたものである請求項１〜６のいずれかに記載の貨物用断熱カバー。
【発明の詳細な説明】
【０００１】
【発明の属する技術分野】
この発明は、貨物用断熱カバーに関する。
【０００２】
【従来の技術】
従来、パレット（スキッドともいう）上に多数個の貨物を載せて輸送する貨物輸送手段がある。パレット上の貨物には、荷崩れを防止するために、プラスチックフィルムが巻き付けられたり、網が被せられたりしている。
【０００３】
このような輸送手段において、貨物が冷凍食品や生鮮食品など、保冷が必要である場合、貨物を断熱性を有するカバーで覆うことが提案されている。このような断熱カバーとしては、発泡樹脂やグラスウールなどからなる断熱材の両面に熱反射性シートを貼着したものがある（たとえば、特許文献１参照）。
【０００４】
【特許文献１】
特開２００１−１８０７６７号公報
【０００５】
【発明が解決しようとする課題】
しかし、従来の断熱カバーでは、直射日光が貨物を照射するような貨物の一部のみに熱が加わるような場合、加熱された部分に位置する貨物の温度が上昇し、貨物の品質が劣化することがあるという問題があった。このような問題は、特に生鮮食品を航空貨物便によって輸入すると手続を受けるのを待つ間、やむを得ず屋外に一時保管する場合に顕著に発生する。
【０００６】
したがって、この発明は、上記のような欠点を解消し、断熱カバーの外部から熱が加えられたとしても貨物に悪影響が及ぶことがない貨物用断熱カバーを提供することを目的とする。
【０００７】
【課題を解決するための手段】
この発明の貨物用断熱カバーは、上記の目的を達成するために、つぎのように構成した。
【０００８】
すなわち、この発明の貨物用断熱カバーは、表皮材によってアルミニウム不織布が覆われるように構成した。
【０００９】
また、上記の発明において、貨物の上面、側面および下面の少なくとも一面を覆う形状であるように構成してもよい。
【００１０】
また、上記の発明において、貨物の上面および側面を覆う形状であるように構成してもよい。
【００１１】
また、上記の発明において、貨物の各面に位置するアルミニウム不織布が相互に連続した形状であるように構成してもよい。
【００１２】
また、上記の発明において、貨物の天面に位置する箇所にのみアルミニウム不織布が封入されているように構成してもよい。
【００１３】
また、表皮材によってアルミニウム不織布が覆われ貨物の少なくとも一面を覆う形状である内部断熱カバーと、表皮材からなり貨物の上面および側面を少なくとも覆う形状である外部カバーとから構成されるように構成してもよい。
【００１４】
また、上記の発明において、表皮材が、プラスチックフィルム表面にアルミニウム薄膜が積層されたものであるように構成してもよい。
【００１５】
【発明の実施の形態】
図面を参照しながらこの発明の実施の形態について詳しく説明する。
【００１６】
図１〜３は、この発明の貨物用断熱カバーの一実施例を示す断面図である。図４〜５は、この発明の貨物用断熱カバーの一実施例の一部を示す斜視図である。図６は、この発明の貨物用断熱カバーの一実施例を示す斜視図である。図７は、この発明の貨物用断熱カバーの一実施例を示す平面図である。図８は、この発明の貨物用断熱カバーの一実施例を示す斜視図である。図９〜１０は、この発明の貨物用断熱カバーの一実施例を示す断面図である。図１１は、この発明の貨物用断熱カバーの一実施例を示す平面図である。図１２は、この発明の貨物用断熱カバーの一実施例を示す断面図である。図１３〜１５は、この発明の貨物用断熱カバーの一実施例の断熱性を示すグラフである。図中、１は貨物用断熱カバー、２は表皮材、３はアルミニウム不織布、４は結合手段、５は差込側接合部、６は受入側接合部、８は結合手段、７は貨物、８は板状部材、２１は透明層、２２は熱反射層、２３は補強層、２５は外部カバー、２６は内部断熱カバーである。
【００１７】
この発明の貨物用断熱カバー１は、表皮材２によってアルミニウム不織布３が覆われるように構成されている（図１参照）。
【００１８】
表皮材２としては、プラスチック材料で構成されるフィルムやシートなど、空気と水を遮断する素材を用いるのが好ましい。表皮材２により断熱材であるアルミニウム不織布３を密閉する閉塞空間を形成することで、空気層も兼ねさせ断熱性能を向上させることができる。また、アルミニウム不織布３からなる断熱材を水に濡らさず、断熱性能の低下を防止することも可能となる。
【００１９】
また、直射日光下での使用が想定される場合、表皮材２としてアルミニウム箔やアルミニウム蒸着膜からなる熱反射層２２を有するものを用いてもよい（図２参照）。熱反射層２２によりさらなる保冷性能の向上が得られる。
【００２０】
アルミニウム不織布３は、溶融紡糸法で作成したアルミニウム繊維よりなり、アルミニウムのみで作られる。アルミニウム繊維を積層化して不織布状に加工してアルミニウム不織布３とする。アルミニウム不織布３は、熱伝導率も０．０６〜０．０７Ｗ／（ｍ・Ｋ）であり、グラスウールの熱伝導率の０．０３３〜０．０５２Ｗ／（ｍ・Ｋ）とほぼ同等の断熱性能を有している。
【００２１】
アルミニウム不織布３には、不織布面に水平な方向の熱伝導率は不織布面に垂直な方向（厚さ方向）の熱伝導率に比べ約３０倍程度熱伝導率が大きいという異方性という特徴がある。貨物用断熱カバー１に断熱材としてアルミニウム不織布３を用いることにより、外部からの熱を遮断すると共に、断熱材自身の温度も均一化することができる。したがって、貨物用断熱カバー１の高温部から貨物７に熱が伝播するまえに、熱を断熱材であるアルミニウム不織布３全体に拡散させることができ、貨物７の局部的な温度変化を軽減することができる。したがって、アルミニウム不織布３の異方性を有効活用するためには、カバーではアルミニウム不織布３は全て連結していることが望ましい。
【００２２】
また、アルミニウム不織布３はアルミニウムのみで構成されているため、廃アルミニウム缶などからの形成や、廃アルミニウム不織布からの再溶融による再生が容易であり、断熱材の資材としてリサイクル性に非常に優れている。すなわち、一度金属となったアルミニウムは、新地金を製造するときの約３％のエネルギーで再生地金になるため他金属にくらべてリサイクルは容易である。また、同じ種類のアルミニウム合金だけを溶解すれば同じ品質のものが再生でき、リサイクルによる品質劣化も起こらない。
【００２３】
袋状の表皮材２によってアルミニウム不織布３が覆われる。すなわち、アルミニウム不織布３を入れた袋状の表皮材２内部を閉塞空間とすることで、表皮材２内部に空気層も兼ねさせ断熱性能が向上し、アルミニウム不織布３を水に濡らすことによる断熱性能の低下を防止できる貨物用断熱カバー１となる。
【００２４】
また、表皮材２とアルミニウム不織布３の結合には、糸を切るだけで解体できる縫製などの分解が容易な方法をとることでリサイクルに伴う解体分別作業が容易になる。貼着などの解体が困難な方法は、リサイクル性を考慮すると好ましくない。
【００２５】
また、アルミニウム不織布３が袋状の表皮材２内部にてよれたり、型崩れを起こしたり、表皮材２がたわんでしまうことが予期される場合、以下の方法で対策を施すとよい。
【００２６】
たとえば、必要な箇所でアルミニウム不織布３の周囲を覆う表皮材２とアルミニウム不織布３を重ねて縫製を施すなどの方法でアルミニウム不織布３を表皮材２に固定してもよい（図４参照）。表皮材２は縫製を施した場合、断熱層に水分が浸入すると断熱性能が低下してしまうのと、表皮材２内部を閉塞空間とすることで空気層を形成し断熱能力の向上を得ることも兼ねているので、縫い目より外気が進入すると断熱性能が低下してしまうので対策が必要である。その対策として、縫い目に空気・水不透過性のテープを張るなどの方法で目張りを施すか、もう一回り大きい閉塞空間にできる袋状に縫製した袋状表皮材２を入れるなどの手段で、表皮材２内部へ水や外気が進入するのを防ぐことが望ましい。また、表皮材２とアルミニウム不織布３を貼着させるのは分離が困難なため、解体作業が煩雑になりリサイクル性が低下することが予想され好ましくない。
【００２７】
また、アルミニウム不織布３に圧力を加えて固めたり、樹脂を加えて硬化させたりすることでアルミニウム不織布３が変形してしまうのを防ぐことができる。この方法ではアルミニウム不織布３が硬化し柔軟性が損なわれるが、縫製などを施す箇所が少なくなり、表皮材２内部の閉塞性を保つことが容易となる。また、アルミニウム繊維が袋内で飛散するのも抑制できる。
【００２８】
輸送用パレットなどの断熱性を持つ板状部材８に搭載した貨物７に貨物用断熱カバー１を用いるような場合には、貨物７下面まで貨物用断熱カバー１は覆わず、貨物７の下面を板状部材８の上に搭載して用いることができる（図８参照）。下部を開口部とすることでその面積分の製造コストが軽減される。また、貨物７が重量物であったり数が多かったりする場合には、貨物７を持ち上げて貨物用断熱カバー１内部に格納せずとも板状部材８上の貨物７に貨物用断熱カバー１を上から被せれば済むので作業性も向上する。
【００２９】
また、貨物用断熱カバー１は、表皮材２で構成される外部カバー２５と、アルミニウム不織布３を内部に包含する閉塞空間を成す内部断熱カバー２６とが独立して存在し、外部カバー２５と内部断熱カバー２６とを組み合わせて構成してもよい（図３参照）。外部カバー２５と内部断熱カバー２６の結合には、糸を切るだけで解体できる縫製などの分解が容易な方法をとることでリサイクルに伴う解体分別作業が容易になる。内部断熱カバー２６が配置される箇所としては、貨物７の上面、下面および側面を覆う貨物用断熱カバー１の各面および複数にわたる面などが想定される。
【００３０】
このように、本発明の貨物用断熱カバー１においては、貨物７の上面、下面および側面の少なくとも一面を覆う外部カバー２５と、アルミニウム不織布３を包含する内部断熱カバー２６とを独立して存在させることで、熱反射層２２の有無や耐摩擦性などを変更した貨物７の上面および側面を覆う外部カバー２５と、アルミニウム不織布３の厚さや貨物７を覆う面の多寡などを変更したアルミニウム不織布３を包含する内部断熱カバー２６を組み合わせることで、貨物用断熱カバー１に要求される能力に対し柔軟に対応させることもできる。
【００３１】
また、直射日光の照射による加熱を最も効果的に遮断すると共に、貨物用断熱カバー１の重量を軽減させるために、貨物用断熱カバー１の構造を、貨物７の上面にのみ表皮材２に覆われたアルミニウム不織布３が位置するようにし、貨物７の上面以外は表皮材２のみで覆うようにしてアルミニウム不織布３が位置しないようにしてもよい。また、貨物７の特定の側面のみが加熱されるような環境にある場合は、貨物７の特定側面にのみ表皮材２に覆われたアルミニウム不織布３が位置するようにし、貨物７のその他の面は表皮材２のみで覆うようにしてアルミニウム不織布３が位置しないようにしてもよい。
【００３２】
また、貨物用断熱カバー１は、貨物７の上面、下面および側面の少なくとも一面を覆う外部カバー２５と、アルミニウム不織布３を内部に包含する閉塞空間を有する袋状表皮材２とを組み合わせて構成するようにしてもよい（図３参照）。このように構成することにより、一方の表皮材２が破損しても全体を修復することなく、破損した表皮材２の修理又は交換で対応でき、維持費用を軽減することができる。
【００３３】
貨物用断熱カバー１に、ジッパー、面ファスナー、スナップファスナーなどの結合手段４を取り付けるように構成してもよい。たとえば、アルミニウム不織布３を包含する袋状の表皮材２にファスナーやマジックテープ（登録商標）などの結合手段４を設けることで、外部とアルミニウム不織布３を包含する部分内との間を開閉自由にしてアルミニウム不織布３を容易に袋状の表皮材２に出し入れできるようになる（図５参照）。
【００３４】
また、貨物用断熱カバー１の一側面に結合手段４を設けることにより開閉自由にできるよう構成してもよい（図６参照）。このように構成することにより、貨物用断熱カバー１内部に貨物７を自由に出し入れして貨物７の収納を容易にすると同時に密閉性も得られるようにすることができる。
【００３５】
また、貨物用断熱カバー１の各側面同士を結合手段４によって連結するように構成してもよい（図７参照）。このように構成することにより、貨物用断熱カバー１の使用時には組み立てて箱状で運用し、保管時は畳んで収納することが可能になる。
【００３６】
アルミニウム不織布３には、不織布面に水平な方向の熱伝導率は不織布面に垂直な方向の熱伝導率に比べて約３０倍程度熱伝導率が大きいという異方性がある。したがって、貨物７の各面に位置するアルミニウム不織布３が相互に連続するように構成することによって、貨物用断熱カバー１の特定の領域のみが加熱される場合であっても、その熱を貨物用断熱カバー１の全体に分散させ、貨物用断熱カバー１内部の局部的な温度上昇を防止することができる。
【００３７】
貨物用断熱カバー１内部においてアルミニウム不織布３が連続した構成にするには、たとえば、貨物用断熱カバー１にアルミニウム不織布３を露出させることができる接合部を形成し、接合部の一方を差込側接合部５に、他方を受入側接合部６になるよう構成するとよい（図９参照）。接合部は、アルミニウム不織布３を挟む２枚の表皮材２の内側に、表皮材２に重なるようにジッパーなどの結合手段４を設けて、接合時に結合手段４の外側を表皮材２が覆い隠すようにする。差込側接合部５はアルミニウム不織布３を表皮材２よりはみ出すように延伸させて表皮材２に固定する。また、受入側接合部６はアルミニウム不織布３端部にアルミニウム不織布３をもう一枚重ねて固定して受入口を形成し、差込側接合部５と受入側接合部６の結合手段４を結合した時に差込側接合部５のアルミニウム不織布３端部が受入口に差し込まれる程度に表皮材２端部から奥まった位置で表皮材２に固定する。また、接合部において重なり合う表皮材２にも面ファスナーなどの結合手段４を取り付けることにより、外気の流入を妨げるとともに、使用中に分離しないように固定することができる（図１０参照）。また、アルミニウム不織布３端部の少し内側に縫製などを施し、外気の流入を妨げるようにするとよい。
【００３８】
また、受入側接合部６のアルミニウム不織布３の端部と差込側接合部５のアルミニウム不織布３の端部とに、スナップファスナーなどの結合手段４が形成された接合部を形成し（図１１参照）、結合手段４を用いて両者を固定することによって受入側接合部６と差込側接合部５のアルミニウム不織布３とが接するように構成してもよい（図１２参照）。
【００３９】
このように、貨物用断熱カバー１は、外部から加えられた熱をアルミニウム不織布３の作用により貨物用断熱カバー１内部で分散し、貨物７に対して局部的に加熱されることがなくなるようにすることができ、貨物７全体を貨物７が損傷する臨界温度以下に保つことができる。
【００４０】
【実施例】
（実施例１）  表皮材として、ポリエステルフィルムからなる補強層の上に、アルミニウム蒸着膜からなる反射層とポリエチレンからなる透明層とが積層され、裏面に発泡ポリエチレンシートが積層された株式会社オーエ製ＤＸアルミニウム押入れシートを用い、貨物の上面とほぼ同じ大きさの上面部分と、上面部分の各辺に接続された貨物の各側面とほぼ同じ大きさの側面部分とになるようにしたものを２枚作成した。
【００４１】
アルミニウム不織布として、線径８０〜１２０μｍ、厚さ約１５ｍｍ、空隙率約０．９７の株式会社アルム製アルミニウム不織布を用い、外側に表皮材のアルミニウム蒸着面が現れるように２枚の表皮材でアルミニウム不織布を挟んで重ね合わせ、各側面の下辺を内側から布テープで密封し、上面および各側面の四隅において表皮材とアルミニウム不織布を糸で縫い止め、布テープで縫い目に目張りを施し、貨物用断熱カバーを得た。
【００４２】
このようにして得た貨物用断熱カバーは、アルミニウム不織布による断熱層により優れた断熱効果を有すると共に、表皮材の反射層によって日光を反射して熱の吸収を抑えるものであった。特に、日光が当たる部分に蓄えられる熱が日光が当たらない側に伝播し、貨物用断熱カバー全体での温度の偏りを緩和する効果が見られた。また、解体後の分別回収も容易にでき、アルミ不織布を用いたことでリサイクル性にも優れたものであった。
【００４３】
（比較例１）  比較例１として、実施例１と同様の表皮材を用い、貨物の上面とほぼ同じ大きさの上面部分と、上面部分の各辺に接続された貨物の各側面とほぼ同じ大きさの側面部分とになるようにして外側にアルミニウム蒸着面が現れる熱反射カバーを得た。
【００４４】
貨物として、発泡ポリスチレン製保冷箱の内部に冷却材として乾燥重量にして１ｋｇの凍らせたタオルを入れたものを用意し、発泡スチロール板の上に貨物を置き、実施例１の貨物用断熱カバーと、比較例１の熱反射カバーとをそれぞれ貨物に被せて屋内に放置して内部温度の時間変化について比較実験をしたところ、図１３に示す結果を得た。また、同様にして屋外に放置した場合の内部温度の時間変化について比較実験をしたところ、図１４に示す結果を得た。
【００４５】
このように、屋内、屋外共に熱反射カバーよりも貨物用断熱カバーの方が優れた断熱性を有することを確認できた。
【００４６】
（比較例２）  また、比較例１と同様の貨物に貨物用断熱カバーを被せないものを用い、比較例１と同様に屋外に放置して内部温度の時間変化について比較実験をしたところ、図１５に示す結果を得た。
【００４７】
このように、貨物用断熱カバーが優れた断熱性を有することを確認できた。
【００４８】
（実施例２）  実施例１で用いたものと同様の表皮材を１枚使用して、外部カバーを得た。外部カバーの各側面同士は、結合手段としてジッパーを用いて結合自在に構成した。また、内部断熱カバーとして、貨物の上面とほぼ同じ大きさの２枚の上面部分からなるものを用意し、実施例１と同様のアルミニウム不織布を挟んで重ね合わせ、四隅において表皮材とアルミニウム不織布を糸で縫い止め、布テープで縫い目に目張りを施した。外部カバーと内部断熱カバーとは糸で縫い止め、布テープで縫い目に目張りを施して貨物用断熱カバーを得た。
【００４９】
このようにして得た貨物用断熱カバーは、実施例１と同様に優れた断熱性を有するものであった。また、外部カバーが破損しても、内部断熱カバーやアルミニウム不織布の交換や修理をすることなく、外部カバーのみを交換または修理するだけで対応できる。また、結合手段の使用により外部カバーが開閉できるので、貨物に貨物用断熱カバーをかぶせる際の作業効率も向上できた。
【００５０】
【発明の効果】
この発明は、以上のような構成を採るので、以下のような効果を奏する。
【００５１】
この発明の貨物用断熱カバーは、表皮材によってアルミニウム不織布が覆われるように構成したので、断熱カバーの外部から熱が加えられたとしても貨物に悪影響が及ぶことがない。
【図面の簡単な説明】
【図１】この発明の貨物用断熱カバーの一実施例を示す断面図である。
【図２】この発明の貨物用断熱カバーの一実施例を示す断面図である。
【図３】この発明の貨物用断熱カバーの一実施例を示す断面図である。
【図４】この発明の貨物用断熱カバーの一実施例の一部を示す斜視図である。
【図５】この発明の貨物用断熱カバーの一実施例の一部を示す斜視図である。
【図６】この発明の貨物用断熱カバーの一実施例を示す斜視図である。
【図７】この発明の貨物用断熱カバーの一実施例を示す平面図である。
【図８】この発明の貨物用断熱カバーの一実施例を示す斜視図である。
【図９】この発明の貨物用断熱カバーの一実施例を示す断面図である。
【図１０】この発明の貨物用断熱カバーの一実施例を示す断面図である。
【図１１】この発明の貨物用断熱カバーの一実施例を示す平面図である。
【図１２】この発明の貨物用断熱カバーの一実施例を示す断面図である。
【図１３】この発明の貨物用断熱カバーの一実施例の断熱性を示すグラフである。
【図１４】この発明の貨物用断熱カバーの一実施例の断熱性を示すグラフである。
【図１５】この発明の貨物用断熱カバーの一実施例の断熱性を示すグラフである。
【符号の説明】
１  貨物用断熱カバー
２  表皮材
３  アルミニウム不織布
４  結合手段
５  差込側接合部
６  受入側接合部
８  結合手段
７  貨物
８  板状部材
２１  透明層
２２  熱反射層
２３  補強層
２５  外部カバー
２６  内部断熱カバー
【図１】
2004203395.tif 000003
【図２】
2004203395.tif 000004
【図３】
2004203395.tif 000005
【図４】
2004203395.tif 000006
【図５】
2004203395.tif 000007
【図６】
2004203395.tif 000008
【図７】
2004203395.tif 000009
【図８】
2004203395.tif 000010
【図９】
2004203395.tif 000011
【図１０】
2004203395.tif 000012
【図１１】
2004203395.tif 000013
【図１２】
2004203395.tif 000014
【図１３】
2004203395.tif 000015
【図１４】
2004203395.tif 000016
【図１５】
2004203395.tif 000017